(57)【要約】【課題】特別な工具を必要とせず電線の取り付け、取り外しを容易に行なうことができるとともに、部品を無駄にすることのない効率性の優れた中継コネクタを提供すること。【解決手段】ハウジング１の一端側は電線接続部２を構成し、他端側はコネクタ接続部３を構成する中継コネクタＡであって、上記コネクタ接続部３を嵌合受部８と嵌込部９とから構成し、上記電線接続部２には、電線ａを端子金具１２に圧接する板バネ１３と、圧接を解除する解除機構１５を解除板１６と、操作レバー１７とで構成し、上記解除板１６を内方にスライド移動させた時には解除板１６の先端が上記板バネ１３に係合して電線ａと端子金具１２との圧接を解除し、上記操作レバー１７を操作して上記解除板１６を外方にスライド移動させた時には、解除板１６と板バネ１３との係合が外れて電線ａと端子金具１２とが圧接するようにした。【選択図】図１
2005063716.tif 000002
【特許請求の範囲】
【請求項１】
角筒状のハウジングの一端側は電線を接続する電線接続部を構成し、他端側は他の中継コネクタと接続するためのコネクタ接続部を構成し、同一形状の中継コネクタ同士を接続できるようにした、以下の要件を備えることを特徴とする中継コネクタ。
（イ）上記コネクタ接続部は上下方向に並設した嵌合受部と嵌込部とから構成されていること
（ロ）上記電線接続部には、電線を差し込む差込み穴から差し込まれた電線に係合し、該電線を端子金具に圧接する板バネと、該板バネによる圧接を解除する解除機構とを設けたこと
（ハ）上記解除機構は、前後にスライド移動可能に配置された解除板と、この解除板に係合する操作レバーとで構成され、該操作レバーの一端は上記解除板に係合し、他端はハウジングから後方に操作可能に突出していること
（ニ）上記解除板を内方にスライド移動させた時には解除板の先端が上記板バネに係合し、該板バネによる電線と端子金具との圧接を解除し、上記解除板を外方にスライド移動させたときには、解除板と板バネとの係合が解除されること
（ホ）上記端子金具の前部は上記嵌込部内に配置され、該嵌込部内に配置された端子金具の一部は上記嵌合受部内に露出して接触部を構成していること
【請求項２】
前記嵌込部には前記端子金具の先端に係合し、端子金具の撓みを制限するリミッタを設けた、請求項１記載の中継コネクタ。
【請求項３】
前記ハウジングの周面の対向する面の長手方向にはそれぞれ嵌接溝と嵌接突条とを形成した、請求項１記載の中継コネクタ。
【請求項４】
前記ハウジングの両側面中央には上面から下面に係合溝を形成し、ハウジング同士を前記嵌接溝と嵌接突条とで側面同士を連結した際に係合溝同士で係合孔が形成されるようにし、該係合孔に係合ピンを差し込むようにした、請求項３記載の中継コネクタ。
【請求項５】
前記中継コネクタを他の中継コネクタと接続した際、接続状態を固定する固定部材を着脱自在に備えた、請求項１記載の中継コネクタ。
【発明の詳細な説明】
【技術分野】
【０００１】
本発明は、中継コネクタ、詳しくは電線同士を電気的に接続するための中継コネクタであって、中継コネクタに取り付けた電線を着脱できるようにした中継コネクタに関する。
【背景技術】
【０００２】
従来、電線同士を接続するために電線の先端を中継コネクタに取り付け、中継コネクタ同士を接続することにより電線同士を電気的に接続することができるようにした中継コネクタが提案されている（例えば、特許文献１）。
【０００３】
この、中継コネクタは接触子の電線係止部に電線を固定し、電線の固定された接触子をハウジング内に差込み、接触子の両側面から突出したスタビライジングイヤをハウジング内に形成された係止部に係止させることにより電線の接続された接触子をハウジング内に固定することができるようになっているものである。
【特許文献１】特開平０４−１１２４６５号公報
【発明の開示】
【発明が解決しようとする課題】
【０００４】
本発明が解決しようとする問題点は、上述のコネクタは、電線を接触子に固定するためには圧着工具が必要になり、一旦圧着した電線は接触子から取り外すことはできないし、一旦電線を接続した接触子をコネクタにセットした後も電線の取り外しができない問題もあり、一旦電線の取り付けられたコネクタは電線を外して再利用することができない問題もあった。
【０００５】
本発明は、上記問題点を解決し、特別な工具を必要とせず電線の中継コネクタへの取り付け、取り外しを容易に行なうことができるとともに、部品を無駄にすることのない効率性の優れた中継コネクタを提供することを課題とする。
【課題を解決するための手段】
【０００６】
前記課題を解決するために本発明に係る中継コネクタは、角筒状のハウジングの一端側は電線を接続する電線接続部を構成し、他端側は他の中継コネクタと接続するためのコネクタ接続部を構成し、同一形状の中継コネクタ同士を接続できるようにした、以下の要件を備えることを特徴とする。
（イ）上記コネクタ接続部は上下方向に並設した嵌合受部と嵌込部とから構成されていること
（ロ）上記電線接続部には、電線を差し込む差込み穴から差し込まれた電線に係合し、該電線を端子金具に圧接する板バネと、該板バネによる圧接を解除する解除機構とを設けたこと
（ハ）上記解除機構は、前後にスライド移動可能に配置された解除板と、この解除板に係合する操作レバーとで構成され、該操作レバーの一端は上記解除板に係合し、他端はハウジングから後方に操作可能に突出していること
（ニ）上記解除板を内方にスライド移動させた時には解除板の先端が上記板バネに係合し、該板バネによる電線と端子金具との圧接を解除し、上記解除板を外方にスライド移動させたときには、解除板と板バネとの係合が解除されること
（ホ）上記端子金具の前部は上記嵌込部内に配置され、該嵌込部内に配置された端子金具の一部は上記嵌合受部内に露出して接触部を構成していること
【０００７】
なお、前記嵌込部には前記端子金具の先端に係合する係合部を形成し、前記端子金具の先端が前記嵌合受部内に突出しないようにすることが好ましい。
【０００８】
また、前記ハウジングの周面の対向する面の長手方向にはそれぞれ嵌接溝と嵌接突条とを形成し、中継ハウジング同士を上下、左右に連結できるようにしてもよい。
【０００９】
さらに、前記ハウジングの両側面中央には上面から下面に係合溝を形成し、ハウジング同士を前記嵌接溝と嵌接突条とで側面同士を連結した際に係合溝同士で係合孔が形成されるようにし、該係合孔に係合ピンを差し込むようにし、連結した中継コネクタ同士がずれることのないようにすればよい。
【００１０】
そして、前記中継コネクタを他の中継コネクタと接続した際、接続状態を固定する固定部材を着脱自在に備え、外力が加わっても接続状態が維持されるようにすることが好ましい。
【発明の効果】
【００１１】
請求項１の発明によれば、コネクタに取り付ける電線の着脱が容易に行なうことができ、部品を無駄にすることのない効率性の優れた中継コネクタを提供することができる。
【００１２】
請求項２の発明によれば、端子金具の先端が嵌込部内から嵌合受部内に突出しないようにしたので、コネクタ同士を接続する際に、端子金具の先端が相手の端子金具の先端に突き当たったり、相手の端子金具の裏側に入り込んだりするトラブルの発生を防止することができる。
【００１３】
請求項３の発明によれば、コネクタ同士を左右方向に連結して板状の中継コネクタを構築することができるし、上下左右に連結してブロック状の中継コネクタを構築することができるようにしたので、接続する電線の数や、設置状況に応じて自由にコネクタの連結を行なうことができるので、自由度の高い中継コネクタを実現することができるとともに、接続形態に合わせて多数の種類のコネクタを用意する必要がなく、一種類のコネクタで全て対応することができるので、生産段階や在庫管理等において無駄のない効率のよい管理を行うことができる。
【００１４】
請求項４の発明によれば、前記ハウジングの両側面中央には上面から下面に係合溝を形成し、ハウジング同士を前記嵌接溝と嵌接突条とで側面同士を連結した際に係合溝同士で係合孔が形成されるようにし、形成された係合孔に係合ピンを差し込むことにより、連結した中継コネクタ同士のずれを防止することができる。
【００１５】
請求項５の発明によれば、一旦接続したコネクタは、引っ張りなどの外力が加わっても、固定部材で固定されているため分離することがなく接続状態を維持することができる。
【発明を実施するための最良の形態】
【００１６】
角筒状のハウジングの一端は電線を接続する電線接続部を構成し、他端は嵌合受部と嵌込部とを上下に並設したコネクタ接続部を構成する中継コネクタであって、上記電線接続部には、上記差込み穴から差し込まれた電線に係合し、該電線を端子金具に圧接する板バネと、該板バネによる圧接を解除する解除機構とを設け、該解除機構を、前後にスライド移動可能に配置された解除板と、この解除板に係合する操作レバーとで構成し、操作レバーの一端を上記解除板に係合させ、他端をハウジングから後方に上下に回動操作可能に突出させ、上記解除板を内方にスライド移動させた時には解除板の先端が上記板バネに係合し、該板バネを押し下げて電線と端子金具との圧接を解除し、上記操作レバーを下方に回動して上記解除板を外方にスライド移動させたときには、板バネとの係合が外れるようにし、上記端子金具の前部を上記嵌込部内に配置するとともに、該嵌込部内の端子金具の一部は上記嵌合受部内に露出するように形成した。
【実施例１】
【００１７】
図１は本発明に係る中継コネクタＡの斜視図を示し、この中継コネクタＡはハウジング１の一端側が電線を接続するための電線接続部２を構成し、他端側が他の中継コネクタＡと接続するためのコネクタ接続部３を構成するものであり、同一形状の中継コネクタ同士を接続することができるようにしたもので、ハウジング１の一端側は、後述するガイド部材１０が嵌め込むことができるように角筒状に形成されるとともに、上面と右側面とには長手方向に嵌接溝（蟻溝）５、５が形成され、底面と左側面とには上記蟻溝５に嵌り合う嵌接突条６、６が形成され、両側面の中央には上下方向に係合溝７が形成されている。
【００１８】
電線接続部２は、図２に示すように、電線を差し込む差込穴１１が形成された方形状のガイド部材１０と、この差込穴１１から差し込まれた電線を端子金具１２に圧接する板バネ１３と、この板バネ１３の圧接を解除する解除機構１５とから構成され、解除機構１５はガイド部材１０にスライド可能に支持されるスライド部材１６と、このスライド部材１６に係合するとともに上記ガイド部材１０に回動可能に支持される操作レバー１７とで構成されている。
【００１９】
ガイド部材１０は上部に電線を差し込む差込穴１１が形成され、下部の開口部１８の内側両側面には上記スライド部材１６をガイドするガイド溝１９が形成されるとともに、操作レバー１７の両側面に突出形成された軸部２０を支持する軸受部２１が形成されている。このガイド部材１０の両側面には係止突部２２が形成されるとともに、上部には係合軸２３が突出形成され、上記角筒状のハウジング１の一端側から、ハウジング１の天板に形成された案内溝２５に係合軸２３を差込み、両側面に形成された係止穴２６に係止突部２２が係止されるまで差し込むとハウジング１にガイド部材１０が固定できるようになっている。
【００２０】
スライド部材１６は後部上面に抜け止め２７が形成されるとともに、前後方向に２本の長孔２８が形成された板状部材で形成され、ガイド部材１０の開口部１８のガイド溝１９にガイドされて前後にスライド移動できるようになっている。そして、上記長孔２８には操作レバー１７に形成された係合軸２９が係合しているので操作レバー１７を下方に押し下げると操作レバー１７の係合軸２９が長孔２８の先端内壁面に当接し、スライド部材１６を外方（手前）に向かってスライド移動させることができるようになっている。
【００２１】
なお、スライド部材１６の前面には係合凹部３０が形成されているが、この係合凹部３０はスライド部材１６をガイド部材１０の内部に向かってドライバー等の工具で押し込む際に工具がスライド部材１６から外れることなく確実に押し込めるようにするためのものである。
【００２２】
板バネ１３は側面視略Ｌ字状に形成され、基板３１に対して係止片３２が上下に撓むようになっているもので、基板３１には後述する端子金具１２に重ね合わせる際に、ずれないように底面に端子金具１２の基板４０に形成された係合穴４１に係合する係合突部３３が突出形成されている。そして、斜め上方に延びた係止片３２の先端は端子金具１２の天板４３の裏面に圧接しているので、ガイド部材１０の差込穴１１から差し込まれた電線ａは端子金具１２の天板４３に板バネ１３で押し付けられ、電線と端子金具１２とは電気的に接続できるようになっている（図３（ｂ）参照）。
【００２３】
端子金具１２は、基板４０から上方に延びた支柱４２に支持された天板４３と、基板４０から後方に略への字に延設されたバネ部４４とから構成された導電性を有する金属板で、バネ部４４は嵌込部９内に配置され、バネ部４４の頂点は嵌合受部８内に露出して接触部４５を構成している（図３（ａ）（ｂ）参照）。
【００２４】
コネクタ接続部３は、嵌合受部８と嵌込部９とが上下に並設して形成され、図４（ａ）に示すように、中継コネクタＡの嵌合受部８に他の中継コネクタＡ’の嵌込部９を、中継コネクタＡの嵌込部９を他の中継コネクタＡ’の嵌合受部８に互いに嵌め合わせることによって、図４（ｂ）に示すように、中継コネクタ同士を接続することができるように形成されている。
【００２５】
嵌合受部８は他の中継コネクタＡの嵌込部９を前面から差し込むことができるように前面が開口し、嵌込部９の内部には端子金具１２のバネ部４４を収容し、嵌込部９内に位置するバネ部４４の一部である接触部４５は嵌合受部８内に露出するように上面が開口し、バネ部４４の先端４４ａは嵌込部９の前壁に形成されたリミッタ４６に係合し、バネ部４４の先端４４ａは嵌合受部８内に突出しないようになっている（図３（ａ）参照）。
【００２６】
上記構成の中継コネクタによれば、図５（ａ）に示すように、ドライバー等の工具でスライド部材１６を押し込む。スライド部材１６がガイド部材１０のガイド溝１９にガイドされて内方にスライド移動すると、スライド部材１６の先端部が板バネ１３の係止片３２に係合し、係止片３２を下方に撓ませて端子金具１２の天板４３から離反させるので、図５（ｂ）に示すように、差込み穴１１から電線ａを差込み、図５（ｃ）に示すように、工具又は指先で操作レバー１７を押し下げる。操作レバー１７は軸部２０がガイド部材１０の軸受部２１に支持されているので下方に回動して係合軸２９がスライド部材１６を外方にスライド移動させるので、スライド部材１６による係止片３２の押し下げが解除されて板バネ１３は弾性復帰し、係止片３２の先端が電線ａを端子金具１２の天板４３に押圧し、電線ａと端子金具１２との電気的な接続が成される（図５（ｄ）参照）。
【００２７】
電線が接続された中継コネクタは、中継コネクタＡの嵌合受部８に中継コネクタＡ’の嵌込部９を、中継コネクタＡの嵌込部９を中継コネクタＡ’の嵌合受部８に嵌め合わせることにより、図６に示すように、端子金具１２の接点部４５同士が圧接し、端子金具１２、１２間の電気的接続が成され、電線ａ、ａ同士の電気的接続が実現する。
【００２８】
端子金具１２の先端４４ａは嵌込部９の前壁に形成されたリミッタ４６に係合して嵌合受部８内に突出することはないので、中継コネクタ同士を接続する際に端子金具１２の先端が相手の端子金具１２の先端に突き当たったり、相手の端子金具１２の裏側に入り込んだりするようなトラブルの発生を防止することができる。
【００２９】
また、ハウジング１の周面には蟻溝５と嵌接突条６とが形成されているので、図７（ａ）に示すように、左右方向に連結し板状の中継コネクタを構築することができるし、図７（ｂ）に示すように、上下左右に連結してブロック状の中継コネクタを構築することができ、接続する電線の数や、設置場所に応じて自由に中継コネクタを連結することができるので、自由度の高い中継コネクタを実現することができる。
【００３０】
なお、図７（ａ）において、符号４７は係合ピンを示し、この係合ピン４７は縦に割れ目が設けられた円筒状のスプリングピンで構成され、ハウジング１の側面に形成された嵌接溝５と嵌接突条６とでハウジング１の側面同士を連結した際に、係合溝７、７同士で形成される係合孔に係合ピン４７を嵌め込むことにより連結状態がすれないようにするためのものである。
【００３１】
また、図４（ａ）において、嵌合受部８の底面に形成された２本のレール８ａで形成された嵌合溝８ｂと、嵌込部９に形成された係合突部９ａとは、図７（ａ）に示すようにハウジング１同士を左右に複数連結した場合、他の中継コネクタとの誤接続を防止するための誤接続防止機構であって、図８に示すように、一方の中継コネクタ群Ｂの係合突部９ａをニッパーやカッター等で切除し、他方の中継コネクタ群Ｂ’の嵌込部９に対応する位置の嵌合受部８に誤接続防止板４８を嵌入させることにより、誤接続防止板４８が差し込まれている嵌合受部８に対応する位置の嵌込部９に係合突部９ａがなければ中継コネクタ群同士を接続することができるが、誤接続防止板４８が差し込まれている嵌合受部８に対応する位置の嵌込部９に係合突部９ａがあれば誤接続防止板４８に係合突部９ａが突き当たり、中継コネクタ群同士を接続することはできないので、中継コネクタ群同士の誤接続を防止することができる。
【実施例２】
【００３２】
次に、図９（ａ）（ｂ）（ｃ）に基づいて、一旦接続した中継コネクタＡが引っ張りなどの外力が加わっても簡単に分離しないようにした固定部材５０について説明する。この固定部材５０は樹脂などの弾性を有する長板状部材で形成され、両端には下方に向かってフック５１、５２が形成されるとともに、一端側の裏面にはハウジング１に形成された蟻溝５に嵌入させる突縁５３が形成されたもので、図９（ｂ）に示すように、一方の中継コネクタＡのハウジング１に形成された蟻溝５に固定部材５０の裏面に形成された突縁５３を嵌め入れ、フック５１がハウジング１の端面に当接するまで嵌入し、図９（ｃ）に示すように、フック５２を他方の中継コネクタＡ’のハウジング１の端面に引っ掛ければ、中継コネクタＡ、Ａ’を接続した状態で固定することができる。
【００３３】
この固定部材５０を外すときは、図９（ｃ）に示すように、ドライバー等の先でフック５２を持ち上げ、固定部材５０を図面上で左にスライド移動させ突縁５３がハウジング１の蟻溝５から外れるまでスライド移動させればよい。
【００３４】
上記固定部材をハウジングに一体に形成しないことにより、図７に示すように、中継コネクタ同士を自由に連結することができ、コネクタ全体の形状を自由に設定することが可能になる。
【図面の簡単な説明】
【００３５】
【図１】本発明に係る中継コネクタの斜視図
【図２】上記中継コネクタの分解斜視図
【図３】（ａ）（ｂ）は上記中継コネクタの断面図
【図４】（ａ）（ｂ）は上記中継コネクタの接続状態を示す斜視図
【図５】（ａ）〜（ｄ）は中継コネクタに電線を取り付ける過程を示す説明図
【図６】中継コネクタ同士を接続した状態の断面図
【図７】（ａ）（ｂ）は上記中継コネクタの連結状態を説明する斜視図
【図８】中継コネクタの誤接続を防止する方法を説明する斜視図
【図９】（ａ）（ｂ）（ｃ）は中継コネクタの接続状態を維持するための固定部材の左側面図、及び取り付け、取り外しの説明図
【符号の説明】
【００３６】
１    ハウジング
２    電線接続部
３    コネクタ接続部
８    嵌合受部
９    嵌込部
１１    差込穴
１２    端子金具
１３    板バネ
１５    解除機構
１６    解除板
１７    操作レバー
４５    接触部
ａ    電線
Ａ    中継コネクタ
【図１】
2005063716.tif 000003
【図２】
2005063716.tif 000004
【図３】
2005063716.tif 000005
【図４】
2005063716.tif 000006
【図５】
2005063716.tif 000007
【図６】
2005063716.tif 000008
【図７】
2005063716.tif 000009
【図８】
2005063716.tif 000010
【図９】
2005063716.tif 000011